(57)【要約】【課題】電子体温計を機械的に組み立てる際にハウジングに対して効率的に組み付けられる感温部キャップを得る。【解決手段】電子体温計１００は、感温部１１を有するサーミスタ１０と、中空空間を有しサーミスタ１０を上記中空空間内に配置するハウジング５０と、ハウジング５０の先端側に設けられ感温部１１を収容する感温部キャップ１５とを備える。ハウジング５０は、ハウジング５１と、ハウジング５１との接合により上記中空空間を形成するハウジング５２とを含む。感温部キャップ１５は、ハウジング５２に設けられるベース部１５Ｍおよびハウジング５１に設けられる蓋部１５Ｎを含む。ベース部１５Ｍは、ハウジング５１側に向かって開放する開放部１５Ｈと、ハウジング５０の先端側に向かって球面状に膨出するように形成される先端部１５Ｓとを有する。蓋部１５Ｎは、開放部１５Ｈを閉塞するように開放部１５Ｈと対向配置される。【選択図】図１
2012163353.tif 000002
【特許請求の範囲】
【請求項１】
電子体温計に用いられる感温部キャップであって、
前記電子体温計は、
被測定者の体温を測定する感温部を有するサーミスタと、
内部に中空空間を有し、前記サーミスタを前記中空空間内に配置するハウジングと、
前記ハウジングの長手方向の先端側に設けられ、前記感温部を収容する当該感温部キャップと、を備え、
前記ハウジングは、
第１ハウジングと、
前記第１ハウジングに接合されることによって前記中空空間を形成する第２ハウジングと、を含み、
当該感温部キャップは、
前記第１ハウジング側に向かって開放する開放部、および、前記ハウジングの前記長手方向の前記先端側に向かって球面状に膨出するように形成された先端部をそれぞれ有し、前記第２ハウジングに設けられたベース部と、
前記第１ハウジングに設けられ、前記開放部を閉塞するように前記開放部と対向配置される蓋部と、を含む、
感温部キャップ。
【請求項２】
前記ベース部は、
半球体状に形成された前記先端部と、
前記先端部に連設されるとともに、前記先端部から遠ざかる方向に延在する半割の円筒形状に形成された底部と、を有し、
前記蓋部は、半割の円筒形状に形成され、
前記底部と前記蓋部とが相互に重ね合わせられることによって、前記底部および前記蓋部は円筒形状を呈する、
請求項１に記載の感温部キャップ。
【請求項３】
前記ベース部は、
球面状に形成された前記先端部と、
前記第１ハウジングから遠ざかる方向に膨出する凹部形状の底部と、を有し、
前記蓋部は、シート状に形成される、
請求項１に記載の感温部キャップ。
【請求項４】
被測定者の体温を測定する感温部を有するサーミスタと、
内部に中空空間を有し、前記サーミスタを前記中空空間内に配置するハウジングと、
前記ハウジングの長手方向の先端側に設けられ、前記感温部を収容する感温部キャップと、を備え、
前記ハウジングは、
第１ハウジングと、
前記第１ハウジングに接合されることによって前記中空空間を形成する第２ハウジングと、を含み、
前記感温部キャップは、
前記第１ハウジング側に向かって開放する開放部、および、前記ハウジングの前記長手方向の前記先端側に向かって球面状に膨出するように形成された先端部をそれぞれ有し、前記第２ハウジングに設けられたベース部と、
前記第１ハウジングに設けられ、前記開放部を閉塞するように前記開放部と対向配置される蓋部と、を含む、
電子体温計。
【請求項５】
前記ベース部は、金属製であり、
前記第１ハウジング、前記第２ハウジング、および前記蓋部は、ＡＢＳ樹脂製であり、
前記蓋部は、前記第１ハウジングに一体成型されている、
請求項４に記載の電子体温計。
【請求項６】
前記ベース部は、金属製であり、
前記第１ハウジングおよび前記蓋部は、シート状部材から構成され、
前記第２ハウジングは、ＰＥＴ樹脂製であり、
前記蓋部は、前記第１ハウジングに一体的に形成されている、
請求項４に記載の電子体温計。
【発明の詳細な説明】
【技術分野】
【０００１】
本発明は、被測定者の体温を測定する電子体温計および電子体温計に用いられる感温部キャップに関する。
【背景技術】
【０００２】
電子体温計は、腋下または舌下等に挟み込まれた状態で、被測定者の体温を測定する。実開昭６２−９６５２２号公報（特許文献１）および登録実用新案第３００３５８３号公報（特許文献２）に開示されるように、一般的な電子体温計には、感温部キャップが設けられる。感温部キャップは、ステンレス製などの熱伝導性の高い金属製材料から構成される。
【０００３】
電子体温計が組み立てられる際には、筒形状のハウジングの内部に、制御基板およびサーミスタ等の内蔵機器が挿入される。サーミスタの一部（感温部）は、ハウジングの先端に設けられた開口部から外部に取り出される。開口部から取り出された感温部を覆うように、当該開口部に感温部キャップが取り付けられる。感温部キャップ内に、サーミスタの感温部が配置される。
【０００４】
電子体温計を使用して被測定者の体温を測定する際には、感温部キャップが、被測定者の腋下または舌下等に挟み込まれる。感温部キャップを通して、被測定者の体温が感温部に伝わる。感温部に接続された制御基板によって、被測定者の体温が算出される。被測定者の体温は、ハウジングに設けられた表示部に表示される。
【先行技術文献】
【特許文献】
【０００５】
【特許文献１】実開昭６２−９６５２２号公報
【特許文献２】登録実用新案第３００３５８３号公報
【発明の概要】
【発明が解決しようとする課題】
【０００６】
実開昭６２−９６５２２号公報（特許文献１）には、自動制御で作動する自動機を使用して、機械的に組み立てられることが可能な電子体温計が開示される。特許文献１における電子体温計に内蔵される電子機器の多くは、いわゆる積み上げ式によって組み立てられる。しかしながら、感温部キャップは、ハウジングおよび電子機器などの積み上げ方向に対して垂直な方向からハウジングに対して組み付けられる。感温部キャップをハウジングに対して組み付ける際には、自動機は、ハウジングの積み上げ方向とは異なる方向に駆動される必要があり、効率があまり良くない。
【０００７】
本発明は、上記のような実情に鑑みてなされたものであって、電子体温計を機械的に組み立てる際に、ハウジングに対してより効率的に組み付けられることが可能な感温部キャップおよび電子体温計を提供することを目的とする。
【課題を解決するための手段】
【０００８】
本発明に基づく感温部キャップは、電子体温計に用いられる感温部キャップであって、上記電子体温計は、被測定者の体温を測定する感温部を有するサーミスタと、内部に中空空間を有し、上記サーミスタを上記中空空間内に配置するハウジングと、上記ハウジングの長手方向の先端側に設けられ、上記感温部を収容する当該感温部キャップと、を備え、上記ハウジングは、第１ハウジングと、上記第１ハウジングに接合されることによって上記中空空間を形成する第２ハウジングと、を含み、当該感温部キャップは、上記第１ハウジング側に向かって開放する開放部、および、上記ハウジングの上記長手方向の上記先端側に向かって球面状に膨出するように形成された先端部をそれぞれ有し、上記第２ハウジングに設けられたベース部と、上記第１ハウジングに設けられ、上記開放部を閉塞するように上記開放部と対向配置される蓋部と、を含む。
【０００９】
好ましくは、上記ベース部は、半球体状に形成された上記先端部と、上記先端部に連設されるとともに、上記先端部から遠ざかる方向に延在する半割の円筒形状に形成された底部と、を有し、上記蓋部は、半割の円筒形状に形成され、上記底部と上記蓋部とが相互に重ね合わせられることによって、上記底部および上記蓋部は円筒形状を呈する。
【００１０】
好ましくは、上記ベース部は、球面状に形成された上記先端部と、上記第１ハウジングから遠ざかる方向に膨出する凹部形状の底部と、を有し、上記蓋部は、シート状に形成される。
【００１１】
本発明に基づく電子体温計は、被測定者の体温を測定する感温部を有するサーミスタと、内部に中空空間を有し、上記サーミスタを上記中空空間内に配置するハウジングと、上記ハウジングの長手方向の先端側に設けられ、上記感温部を収容する感温部キャップと、を備え、上記ハウジングは、第１ハウジングと、上記第１ハウジングに接合されることによって上記中空空間を形成する第２ハウジングと、を含み、上記感温部キャップは、上記第１ハウジング側に向かって開放する開放部、および、上記ハウジングの上記長手方向の上記先端側に向かって球面状に膨出するように形成された先端部をそれぞれ有し、上記第２ハウジングに設けられたベース部と、上記第１ハウジングに設けられ、上記開放部を閉塞するように上記開放部と対向配置される蓋部と、を含む。
【００１２】
好ましくは、上記ベース部は、金属製であり、上記第１ハウジング、上記第２ハウジング、および上記蓋部は、ＡＢＳ樹脂製であり、上記蓋部は、上記第１ハウジングに一体成型されている。
【００１３】
好ましくは、上記ベース部は、金属製であり、上記第１ハウジングおよび上記蓋部は、シート状部材から構成され、上記第２ハウジングは、ＰＥＴ樹脂製であり、上記蓋部は、上記第１ハウジングに一体的に形成されている。
【発明の効果】
【００１４】
本発明によれば、電子体温計を機械的に組み立てる際に、ハウジングに対してより効率的に組み付けられることが可能な感温部キャップおよび電子体温計を得ることができる。
【図面の簡単な説明】
【００１５】
【図１】実施の形態１における電子体温計の分解された状態（組み立てられる前の状態）を示す斜視図である。
【図２】実施の形態１における電子体温計の組み立てられた後の状態を示す斜視図である。
【図３】実施の形態１における電子体温計に備えられる感温部キャップの分解された状態（組み立てられる前の状態）を示す斜視図である。
【図４】実施の形態１における電子体温計の機能ブロックを示す図である。
【図５】実施の形態２における電子体温計の分解された状態（組み立てられる前の状態）を示す斜視図である。
【図６】図５中におけるＶＩ−ＶＩ線に関する矢視断面図である（電子体温計としては組み立てられた状態が図示される）。
【図７】実施の形態２における電子体温計に備えられる感温部キャップのベース部を示す斜視図である。
【発明を実施するための形態】
【００１６】
本発明に基づいた各実施の形態について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。
【００１７】
［実施の形態１］
図１〜図４を参照して、本実施の形態における電子体温計１００および感温部キャップ１５について説明する。図１は、電子体温計１００の分解された状態（組み立てられる前の状態）を示す斜視図である。図２は、電子体温計１００の組み立てられた後の状態を示す斜視図である。図３は、電子体温計１００に備えられる感温部キャップ１５の分解された状態（組み立てられる前の状態）を示す斜視図である。図４は、電子体温計１００の機能ブロックを示す図である。
【００１８】
（電子体温計１００）
図１に示すように、電子体温計１００は、サーミスタ１０、制御基板２０、表示部３０、操作部３６、電源部４０、ハウジング５０、および感温部キャップ１５を備える。図２に示すように、電子体温計１００が組み立てられた状態においては、電子体温計１００の一端側（先端側）にプローブ部８２が形成される。
【００１９】
図１を再び参照して、制御基板２０、表示部３０、操作部３６、および電源部４０は、平面視矩形状の基板２９上にそれぞれ実装される。サーミスタ１０、制御基板２０、表示部３０、操作部３６、電源部４０、および基板２９によって、被測定者の体温を測定する内蔵機器１８が構成される。
【００２０】
サーミスタ１０は、いわゆるラジアルリード型であり、被測定者の体温を計測する感温部１１と、一端が感温部１１に接続されたリード線１２とを含む。リード線１２の他端は、制御基板２０に接続される。
【００２１】
制御基板２０は、所定の位置に、制御部（図４における制御部２２）、メモリ部（図４におけるメモリ部２３）、および報知部（図４における報知部２４）を有する。
【００２２】
表示部３０は、基板２９によって制御基板２０に電気的に接続される。表示部３０は、たとえばＬＣＤ（Liquid  Crystal  Display）などの表示パネル３１を有する。表示パネル３１に、サーミスタ１０によって測定された被験者の体温などが表示される。
【００２３】
表示部３０と並んで基板２９上に配置される操作部３６も、基板２９によって制御基板２０に電気的に接続される。操作部３６は、外部から押圧可能に配置された押しボタン３８を含む。図１に示すように、押しボタン３８はいわゆるフラットスイッチ型に構成されるとよい。
【００２４】
電源部４０は、ボタン電池４２および対向配置された電極端子４１を有する。対向配置された電極端子４１同士は、樹脂４３によって相互に位置決めされる。電極端子４１も、基板２９によって制御基板２０に電気的に接続される。ボタン電池４２は、電極端子４１間に配置される。ボタン電池４２は、電極端子４１および基板２９を通して、制御基板２０および制御基板２０に接続された表示部３０に電力を供給する。
【００２５】
電子体温計１００においては、電子体温計１００（ハウジング５０）の長手方向に沿って、サーミスタ１０、制御基板２０、表示部３０、操作部３６および電源部４０がこの順に並んで配置される。制御基板２０、表示部３０、操作部３６および電源部４０の順序は、適宜変更されてもよい。
【００２６】
ハウジング５０は、ハウジング５１（第１ハウジング）およびハウジング５２（第２ハウジング）を有する。ハウジング５１およびハウジング５２は、たとえばＡＢＳ樹脂（Acrylonitrile-Butadiene-Styrene共重合合成樹脂）製である。ハウジング５１およびハウジング５２は、たとえば樹脂成型によって製造されることができる。
【００２７】
ハウジング５１は、サーミスタ１０が配置される側（プローブ部８２側）に向かって徐々に幅が狭くなるように略テーパー状に構成される。ハウジング５１の表面の所定の位置には、電源スイッチ３７が設けられる。電源スイッチ３７は、電子体温計１００が組み立てられた状態において、たとえば押しボタン３８への押圧手段として機能する。
【００２８】
ハウジング５１には、表示パネル３１を外部から視認するための開口部５１Ｈが設けられる。開口部５１Ｈ内には、樹脂などから構成される透明保護部材５６が配置される。表示パネル３１を外部から視認するための開口部５１Ｈは、次述するハウジング５２に設けられてもよい。この場合、表示部３０の表示パネル３１は、ハウジング５２側に向かって配置される（図１とは表裏反対に示すように配置される）。
【００２９】
ハウジング５１は、ハウジング５２に設けられる上端部５２Ｋ（詳細は後述する）の形状に対応する下端部５１Ｋを有する。下端部５１Ｋと上端部５２Ｋとは、熱溶着または接着剤などによって相互に接合される。当該接合によって、ハウジング５１とハウジング５２とからなるハウジング５０が形成される。当該接合によって、ハウジング５０の内部に、内蔵機器１８（サーミスタ１０等）を配置する中空空間が形成される。
【００３０】
ハウジング５２は、電子体温計１００の長手方向に沿って延在する底面部５２Ｓ，５２Ｒ、底面部５２Ｓ，５２Ｒの周縁から起立する側壁部５２Ｕ、および、側壁部５２Ｕの起立方向の先端に設けられた上端部５２Ｋを有する。
【００３１】
底面部５２Ｓは、電子体温計１００の一端側（先端側）に位置する。底面部５２Ｒは、底面部５２Ｓに連続し、電子体温計１００の他端側（後端側）に位置する。図１に示すように、電子体温計１００が被測定者の腋下または舌下等に向かって挿入され易いように、底面部５２Ｓは底面部５２Ｒに比べて底浅に形成されている（底上げされている）とよい。
【００３２】
底面部５２Ｓは、略溝状に形成される。電子体温計１００が組み立てられた状態においては、底面部５２Ｓ内に、サーミスタ１０（リード線１２）が配置される。
【００３３】
ハウジング５２における側壁部５２Ｕおよび上端部５２Ｋは、ハウジング５２に対して内蔵機器１８が一方向に収容可能なように、内蔵機器１８が収容される側に向かって開口を形成している。同様に、ハウジング５１においても、下端部５１Ｋは、ハウジング５１に対して内蔵機器１８が一方向に収容可能なように、内蔵機器１８が収容される側に向かって開口を形成している。
【００３４】
（感温部キャップ１５）
感温部キャップ１５は、ハウジング５０の長手方向の先端側に設けられる（図２参照）。具体的には、感温部キャップ１５は、ハウジング５２の先端に設けられるベース部１５Ｍと、ハウジング５１の先端に設けられる蓋部１５Ｎとを有する。
【００３５】
電子体温計１００が組み立てられた状態（図２参照）においては、ベース部１５Ｍと蓋部１５Ｎとが一体化される。当該一体化によって感温部キャップ１５が構成され、感温部キャップ１５の内部に感温部１１（図１参照）が収容される。
【００３６】
図１および図３を参照して、感温部キャップ１５（ベース部１５Ｍおよび蓋部１５Ｎ）についてより詳細に説明する。本実施の形態におけるベース部１５Ｍは、たとえばステンレスまたはアルミニウムなどの熱伝導性の高い金属製の部材から構成される。ベース部１５Ｍは、ハウジング５２の先端面５２Ｖに、接着剤、熱溶着、または超音波溶着などによって接合される。ベース部１５Ｍは、インサート成型などによってハウジング５２に接合されてもよい。
【００３７】
図３に示すように、ベース部１５Ｍは、先端部１５Ｓと、先端部１５Ｓの後端面１５Ｑに連設された底部１５Ｕとを有する。先端部１５Ｓと底部１５Ｕとは、一体的に製造されてもよく、別体として製造された後に相互に接合されてもよい。先端部１５Ｓは、ハウジング５０（図１参照）の長手方向の先端側に向かって球面状に膨出するように、中空の半球体状に形成される。
【００３８】
底部１５Ｕは、略Ｕ字形状を呈する半割の円筒形状に形成され、ハウジング５１（蓋部１５Ｎ）側に向かって開放する開放部１５Ｈを有する。ハウジング５０（図１参照）が組み立てられる際には、開放部１５Ｈ内に向かって感温部１１（図１参照）が収容される。底部１５Ｕは、先端部１５Ｓに連設された部分（後端面１５Ｑ）から遠ざかるように、ハウジング５２に対する接合部（ハウジング５２の先端面５２Ｖ）に向かって延在する。底部１５Ｕの後端面１５Ｖが、ハウジング５２の先端面５２Ｖと接合される。
【００３９】
蓋部１５Ｎは、上述のとおりハウジング５１の先端に設けられる。本実施の形態における蓋部１５Ｎは、ハウジング５１と同質の材料から構成され、ハウジング５１の一部としてハウジング５１と一体的に成型される。
【００４０】
ベース部１５Ｍとハウジング５２とが別体として構成されているのと同様に、蓋部１５Ｎとハウジング５１とは別体として構成されていてもよい。この場合、蓋部１５Ｎは、たとえばステンレスまたはアルミニウムなどの熱伝導性の高い金属製の部材から構成されるとよい。また、蓋部１５Ｎは、ハウジング５１の先端に、接着剤、熱溶着、または超音波溶着などによって接合されてもよいし、インサート成型などによって接合されてもよい。
【００４１】
本実施の形態における蓋部１５Ｎは、ハウジング５１の先端において略Ｕ字形状を呈する半割の円筒形状に形成される。蓋部１５Ｎは、ハウジング５２（ベース部１５Ｍの底部１５Ｕ）側に向かって開放している。
【００４２】
電子体温計１００（図１参照）が組み立てられる際には、内蔵機器１８（サーミスタ１０、制御基板２０、表示部３０、電源部４０、および基板２９）がハウジング５１とハウジング５２との間に配置される。ベース部１５Ｍが、ハウジング５２に接合される。ベース部１５Ｍがハウジング５２に接合された後に、内蔵機器１８がハウジング５１とハウジング５２との間に配置されてもよい。
【００４３】
次に、ハウジング５１（下端部５１Ｋ）とハウジング５２（上端部５２Ｋ）とが、接着剤、熱溶着、または超音波溶着などによって相互に接合される。ハウジング５１およびハウジング５２によって内蔵機器１８が挟み込まれ、当該接合によってハウジング５０が形成される。
【００４４】
ハウジング５１とハウジング５２との相互の接合によって、蓋部１５Ｎの下端面１５Ｗと、ベース部１５Ｍの底部１５Ｕにおける上端面１５Ｔとが相互に重ね合わせられる。蓋部１５Ｎは、開放部１５Ｈを閉塞するように開放部１５Ｈと対向配置される。底部１５Ｕおよび蓋部１５Ｎは、全体として円筒形状を呈する。当該円筒形状を呈する部分の内部に、感温部１１が配置される。
【００４５】
図４を参照して、上述したように、電子体温計１００は、感温部１１、制御部２２、メモリ部２３、報知部２４、表示部３０、操作部３６、および電源部４０を、機能ブロックとして含む。制御部２２、メモリ部２３、および報知部２４は、制御基板２０に設けられる。操作部３６は、制御基板２０に設けられてもよい（制御基板２０の一部として制御基板２０に取り付けられていてもよい）。
【００４６】
感温部１１は、腋下や舌下などの被測定部位に挟み込まれることで被測定者の体温を検出する。操作部３６は、たとえば押しボタン３８（図１参照）から構成され、被測定者（または電子体温計１００の使用者）による操作を受け付けて、この外部からの命令を制御部２２または電源部４０に入力する。制御部２２は、たとえばＣＰＵ（Central  Processing  Unit）から構成され、電子体温計１００の全体を制御する。
【００４７】
メモリ部２３は、たとえばＲＯＭ（Read-Only  Memory）またはＲＡＭ（Random-Access  Memory）から構成され、体温測定のための処理手順を制御部２２などに実行させるためのプログラムを記憶したり、測定結果などを記憶したりする。報知部２４は、たとえばブザーから構成され、測定が終了したことや被測定者の操作を受け付けたことなどを被測定者に知らせる。報知部２４は、必要に応じて設けられるとよい。
【００４８】
表示部３０は、たとえばＬＣＤ（Liquid  Crystal  Display）などの表示パネル３１（図１参照）を含み、測定結果などを表示する。電源部４０は、たとえばボタン電池４２（図１参照）を含み、制御部２２に電源としての電力を供給する。
【００４９】
制御部２２は、体温測定を実行するための処理回路を含んでおり、メモリ部２３から読み出されたプログラムに基づいて体温を測定する。その際、制御部２２は、感温部１１から入力された温度データを処理することで測定結果としての体温を算出する。制御部２２は、算出した体温を表示部３０に表示させたり、算出した体温をメモリ部２３に記憶させたり、測定が終了したことを、報知部２４を用いて被測定者に知らせたりするように、電子体温計１００を制御する。
【００５０】
（作用・効果）
図１を再び参照して、電子体温計１００においては、ハウジング５２における側壁部５２Ｕおよび上端部５２Ｋが、ハウジング５２に対して内蔵機器１８を一方向に収容可能なように、これらが収容される側に向かって開口を形成している。当該開口を形成するハウジング５２に対して、内蔵機器１８は一方向に容易に組み付けられることができる。
【００５１】
感温部キャップ１５においても、ベース部１５Ｍの底部１５Ｕが、半割の円筒形状に形成される。底部１５Ｕは、ハウジング５１（蓋部１５Ｎ）側に向かって略Ｕ字形状を呈するように開放する開放部１５Ｈを有する。開放部１５Ｈに対して、感温部１１および蓋部１５Ｎは、一方向に容易に組みつけられることができる。
【００５２】
したがって、電子体温計１００を機械的に組み立てる際には、感温部キャップ１５は、ハウジング５０（ハウジング５１およびハウジング５２）に対して、（従来の電子体温計に比べて）より効率的に組み付けられることができる。感温部キャップ１５を備えた電子体温計１００によれば、さらなる製造費用の低減が可能となる。
【００５３】
また、感温部キャップ１５のベース部１５Ｍにおける先端部１５Ｓは、ハウジング５０（図１参照）の長手方向の先端側に向かって球面状に膨出するように形成される。当該構成によれば、感温部キャップ１５が被測定者の腋下（腋奥）などに対して接触され易くなり、測定精度の向上が図れる。
【００５４】
図１に示すように、本実施の形態においては、蓋部１５Ｎがハウジング５１に設けられ、ベース部１５Ｍがハウジング５２に設けられる。当該構成とは反対に、蓋部１５Ｎがハウジング５２に設けられ、ベース部１５Ｍがハウジング５１に設けられてもよい。
【００５５】
この場合、ハウジング５２が本発明における第１ハウジングを構成し、ハウジング５１が本発明における第２ハウジングを構成する。当該構成であっても、本実施の形態における電子体温計１００および感温部キャップ１５と同様の作用および効果を得ることができる。
【００５６】
［実施の形態２］
図５〜図７を参照して、本実施の形態における電子体温計１０１および感温部キャップ１５Ａについて説明する。図５は、電子体温計１０１の分解された状態（組み立てられる前の状態）を示す斜視図である。図６は、図５中のＶＩ−ＶＩ線に関する矢視断面図である（電子体温計１０１としては組み立てられた状態が図示される）。図７は、感温部キャップ１５Ａを示す斜視図である。
【００５７】
（電子体温計１０１）
図５に示すように、電子体温計１０１は、サーミスタ１０、制御基板２０、表示部３０、操作部３６、電源部４０、およびハウジング５０Ａを備える。サーミスタ１０、制御基板２０、表示部３０、操作部３６、および電源部４０は、上述の実施の形態１における電子体温計１００と同様に、内蔵機器１８を構成する。サーミスタ１０、制御基板２０、表示部３０、操作部３６、電源部４０、および内蔵機器１８は、上述の実施の形態１における電子体温計１００のそれらと同様に構成される。
【００５８】
ハウジング５０Ａは、シート状部材５１Ａ（第１ハウジング）およびケース体５２Ａ（第２ハウジング）を有する。シート状部材５１Ａは、たとえば、紙またはポリエチレンフィルムなどからなる基材層と、基材層の下面側に配置されたシーラント層と、基材層の上面側に配置されたＰＥＴ層（Polyethylene Terephthalate層）とが積層されることによって構成される。
【００５９】
シート状部材５１Ａの厚さは、たとえば０．１ｍｍ〜０．３ｍｍである。ＰＥＴ層の基材層側の面に、所定の銘板３７Ａが貼付または印刷されることができる。銘板３７Ａは、電子体温計１０１が組み立てられた状態において、たとえば押しボタン３８の押下位置を示す目印として機能することができる。
【００６０】
シート状部材５１Ａは、裁断などによって製造されることができる。シート状部材５１Ａは、サーミスタ１０が配置される側に向かって徐々に幅が狭くなるように略テーパー状に構成される。
【００６１】
シート状部材５１Ａには、表示パネル３１を外部から視認するための開口部５１Ｈが設けられる。開口部５１Ｈ内には、樹脂などから構成される透明保護部材５６が配置される。なお、シート状部材５１Ａが透明性を有する場合、開口部５１Ｈおよび透明保護部材５６は不要である。表示パネル３１を外部から視認するための開口部５１Ｈは、次述するケース体５２Ａに設けられてもよい。この場合、表示部３０の表示パネル３１は、ケース体５２Ａ側に向かって配置される（図５とは表裏反対に示すように配置される）。
【００６２】
ケース体５２Ａは、たとえばＰＥＴ、ＰＶＣ（polyvinyl chloride）、ＰＥ（polyethylene）、またはＰＰ（polypropylene）等の熱可塑性を有する樹脂製の部材から、たとえば真空成型によって容器状に構成される。ケース体５２Ａの厚さは、たとえば０．５ｍｍ〜１．０ｍｍである。
【００６３】
ケース体５２Ａは、電子体温計１０１の長手方向に沿って延在する底面部５２Ｓ，５２Ｒ、底面部５２Ｓ，５２Ｒの周縁から起立する側壁部５２Ｕ、および、側壁部５２Ｕの起立方向の先端に設けられた上端部５２Ｋを有する。本実施の形態における上端部５２Ｋは、側壁部５２Ｕの起立方向の先端からケース体５２Ａの外側に向かってフランジ状に延設され、全体として環状を呈している。
【００６４】
底面部５２Ｓは、電子体温計１０１の一端側（先端側）に位置する。底面部５２Ｒは、底面部５２Ｓに連続し、電子体温計１０１の他端側（後端側）に位置する。電子体温計１０１が被測定者の腋下または舌下等に向かって挿入され易いように、底面部５２Ｓは底面部５２Ｒに比べて底浅に形成されている（底上げされている）。
【００６５】
底面部５２Ｓの略中央には、電子体温計１０１の長手方向に沿って凹部５２Ｔが溝状に設けられる。電子体温計１０１が組み立てられた状態においては、凹部５２Ｔ内に、サーミスタ１０（リード線１２）が収容される。この場合、リード線１２は凹部５２Ｔの内周面に対して摺動自在であるとよい。
【００６６】
ケース体５２Ａにおける側壁部５２Ｕおよび上端部５２Ｋは、ケース体５２Ａに対して内蔵機器１８が一方向に収容可能なように、内蔵機器１８が収容される側に向かって開口を形成している。
【００６７】
（感温部キャップ１５Ａ）
図６を参照して、感温部キャップ１５Ａは、ハウジング５０Ａの長手方向の先端側に設けられる。具体的には、感温部キャップ１５Ａは、ケース体５２Ａの先端側に設けられるベース部１５ＭＡと、シート状部材５１Ａの先端側に設けられる蓋部１５ＮＡとを有する。
【００６８】
電子体温計１０１が組み立てられた状態においては、ベース部１５ＭＡと蓋部１５ＮＡとは間隔を空けて対向配置される。ベース部１５ＭＡと蓋部１５ＮＡとの間に、感温部１１が配置される。感温部１１は、ベース部１５ＭＡの底部１５Ｕ（詳細は次述する）の内表面と接触しているとよい。感温部１１と底部１５Ｕの内表面とを相互に接触させるために、底部１５Ｕの内部に、感温部１１を底部１５Ｕの内表面に押し付けるように発泡スチロール（図示せず）などが充填されているとよい。
【００６９】
ベース部１５ＭＡは、たとえばステンレスまたはアルミニウムなどの熱伝導性の高い金属性の部材から構成される。ケース体５２Ａの底面部５２Ｓの先端近傍には、開口部５２Ｈが設けられる。ベース部１５ＭＡは、この開口部５２Ｈに嵌め込まれる。ベース部１５ＭＡは、ケース体５２Ａの底面部５２Ｓに対して、接着剤、熱溶着、または超音波溶着などによって接合されるとよい。
【００７０】
図７を参照して、ベース部１５ＭＡは、略長円形のフランジ状に形成された上端面１５Ｔと、上端面１５Ｔに連設され、シート状部材５１Ａ（図６参照）から遠ざかる方向に膨出する凹部形状（略キャップ形状）に形成された底部１５Ｕとを含む。底部１５Ｕは、シート状部材５１Ａ（蓋部１５ＮＡ）側に向かって開放する開放部１５Ｈを有する。底部１５Ｕの先端部１５Ｓは、ハウジング５０Ａ（図６参照）の長手方向の先端側に向かって膨出するように、球面状に形成される。
【００７１】
蓋部１５ＮＡは、上述のとおりシート状部材５１Ａの先端に設けられる。本実施の形態における蓋部１５ＮＡは、シート状部材５１Ａと同質の材料から構成され、シート状部材５１Ａの一部としてシート状部材５１Ａと一体的に形成されている。
【００７２】
ベース部１５ＭＡとケース体５２Ａとが別体として構成されているのと同様に、蓋部１５ＮＡとシート状部材５１Ａとは別体として構成されていてもよい。この場合、蓋部１５ＮＡは、たとえばステンレスまたはアルミニウムなどの熱伝導性の高い金属性の部材から構成されるとよい。また、蓋部１５ＮＡは、シート状部材５１Ａの先端に、接着剤、熱溶着、または超音波溶着などによって接合されるとよい。
【００７３】
本実施の形態における蓋部１５ＮＡは、シート状部材５１Ａの先端において平面状に形成される。電子体温計１０１が組み立てられた状態においては、蓋部１５ＮＡは、ケース体５２Ａ（ベース部１５ＭＡの底部１５Ｕ）に対向する。
【００７４】
図５を参照して、電子体温計１０１が組み立てられる際には、内蔵機器１８（サーミスタ１０、制御基板２０、表示部３０、電源部４０、および基板２９）が、シート状部材５１Ａとケース体５２Ａとの間に配置される。
【００７５】
内蔵機器１８は、ケース体５２Ａ内に収容される。内蔵機器１８がシート状部材５１Ａに対して接着などの手段によって固定された状態で、内蔵機器１８がケース体５２Ａ内に収容されてもよい。この場合、開口部５１Ｈに設けられた透明保護部材５６と表示パネル３１とが対向するように、内蔵機器１８がシート状部材５１Ａに対して取り付けられる。
【００７６】
また、操作部３６における押しボタン３８とシート状部材５１Ａ（シート状部材５１Ａの銘板３７Ａが形成された領域）とが対向するように、内蔵機器１８がシート状部材５１Ａに対して取り付けられる。シート状部材５１Ａに内蔵機器１８が取り付けられた（貼り付けられた）状態で、シート状部材５１Ａの周縁がケース体５２Ａの上端部５２Ｋに接合される。
【００７７】
当該接合によって、内蔵機器１８（サーミスタ１０、制御基板２０、表示部３０、電源部４０、および基板２９）が略気密状に封止された中空空間５３（図６参照）が形成される。内蔵機器１８は、中空空間５３内において、シート状部材５１Ａおよびケース体５２Ａによって挟み込まれる。シート状部材５１Ａおよびケース体５２Ａの相互の接合によって、ハウジング５０Ａが形成される。
【００７８】
蓋部１５ＮＡは、ベース部１５ＭＡの開放部１５Ｈをシート状部材５１Ａ側から閉塞する（覆う）ように、開放部１５Ｈと間隔を空けて対向配置される。ベース部１５ＭＡと蓋部１５ＮＡとの間に、感温部１１が配置される。上述のとおり、底部１５Ｕの内部には、感温部１１を底部１５Ｕの内表面に押し付けるように発泡スチロール（図示せず）などが充填されているとよい。
【００７９】
シート状部材５１Ａとケース体５２Ａの上端部５２Ｋとを相互に接合するためには、シート状部材５１Ａとケース体５２Ａの上端部５２Ｋとが対向するように配置される。この状態で、シート状部材５１Ａと上端部５２Ｋとの接触部に超音波が付与される。付与された超音波により、シート状部材５１Ａ（シーラント層など）が一時的に溶解する。当該溶解によって、シート状部材５１Ａがケース体５２Ａの上端部５２Ｋに溶着（圧着）される。シート状部材５１Ａとケース体５２Ａの上端部５２Ｋとは、熱溶着または接着剤などによって接合されてもよい。
【００８０】
（作用・効果）
電子体温計１０１のハウジング５０Ａは、シート状部材５１Ａおよびケース体５２Ａから簡素に構成される。シート状部材５１Ａは、ＰＥＴ等から構成される極めて薄い部材である。シート状部材５１Ａは、その厚さが薄く且つ裁断などによって製造されるため、安価に準備されることができる。ケース体５２Ａも、ＰＥＴ等から真空成型などによって構成される極めて薄い部材であるため、安価に準備されることができる。電子体温計１０１によれば、筐体の全部が成型樹脂から構成される一般的ないわゆるペンシル型の電子体温計に比べて、製造費用を低減することができる。
【００８１】
電子体温計１０１が安価に製造されるため、電子体温計１０１は、いわゆるディスポーザブルタイプとして使用されるのに適している。ディスポーザブルタイプであれば、たとえば医療現場などにおいて、電子体温計１０１が使用される毎（若しくは所定の使用回数毎に）に廃棄される。電子体温計１０１によれば、廃棄毎に発生する使用者側または被測定者側の費用負担も軽減することが可能である。
【００８２】
上述のとおり、リード線１２は、中空空間５３（図６参照）内に配置された状態において、凹部５２Ｔの内表面に対して（接着などによって固定されずに）摺動自在であるとよい。この場合、電子体温計１０１が繰り返し曲げまたはねじれ変形されたとしても、リード線１２の長寿命化が図れる。なお、リード線１２を収容する凹部５２Ｔとしては、シート状部材５１Ａ側に設けられてもよい。
【００８３】
電子体温計１０１においては、ケース体５２Ａにおける側壁部５２Ｕおよび上端部５２Ｋが、ケース体５２Ａに対して内蔵機器１８を一方向に収容可能なように、これらが収容される側に向かって開口を形成している。当該開口を形成するケース体５２Ａに対して、内蔵機器１８（またはシート状部材５１Ａに取り付けられた内蔵機器１８）は、一方向に容易に組み付けられることができる。
【００８４】
感温部キャップ１５Ａにおいても、ベース部１５ＭＡの底部１５Ｕが、シート状部材５１Ａ（蓋部１５ＮＡ）側に向かって開放する開放部１５Ｈを有する。開放部１５Ｈに対して、感温部１１は一方向に容易に組み付けられることができる。感温部１１が組みつけられた開放部１５Ｈ（ベース部１５ＭＡ）に対して、蓋部１５Ｎも容易に組み付けられることができる。
【００８５】
したがって、電子体温計１０１を機械的に組み立てる際には、感温部キャップ１５Ａは、ハウジング５０Ａ（シート状部材５１Ａおよびケース体５２Ａ）に対して、（従来の電子体温計に比べて）より効率的に組み付けられることができる。感温部キャップ１５Ａを備えた電子体温計１０１によれば、さらなる製造費用の低減が可能となる。
【００８６】
また、感温部キャップ１５Ａのベース部１５ＭＡにおける先端部１５Ｓは、ハウジング５０Ａ（図６参照）の長手方向の先端側に向かって球面状に膨出するように形成される。当該構成によれば、感温部キャップ１５Ａが被測定者の腋下（腋奥）などに対して接触され易くなり、測定精度の向上が図れる。
【００８７】
以上、本発明に基づいた各実施の形態について説明したが、今回開示された各実施の形態はすべての点で例示であって制限的なものではない。本発明の技術的範囲は特許請求の範囲によって示され、特許請求の範囲と均等の意味および範囲内でのすべての変更が含まれることが意図される。
【符号の説明】
【００８８】
１０  サーミスタ、１１  感温部、１２  リード線、１５，１５Ａ  感温部キャップ、１５Ｈ  開放部、１５Ｍ，１５ＭＡ  ベース部、１５Ｎ，１５ＮＡ  蓋部、１５Ｑ，１５Ｖ  後端面、１５Ｓ  先端部、１５Ｔ  上端面、１５Ｕ  底部、１５Ｗ  下端面、１８  内蔵機器、２０  制御基板、２２  制御部、２３  メモリ部、２４  報知部、２９  基板、３０  表示部、３１  表示パネル、３６  操作部、３７  電源スイッチ、３７Ａ  銘板、３８  押しボタン、４０  電源部、４１  電極端子、４２  ボタン電池、４３  樹脂、５０，５０Ａ  ハウジング、５１  ハウジング（第１ハウジングまたは第２ハウジングのうちの一方）、５２  ハウジング（第１ハウジングまたは第２ハウジングのうちの他方）、５１Ａ  シート状部材（第１ハウジング）、５１Ｈ，５２Ｈ  開口部、５１Ｋ  下端部、５２Ａ  ケース体（第２ハウジング）、５２Ｋ  上端部、５２Ｒ，５２Ｓ  底面部、５２Ｔ  凹部、５２Ｕ  側壁部、５２Ｖ  先端面、５３  中空空間、５６  透明保護部材、８２  プローブ部、１００，１０１  電子体温計。
【図１】
2012163353.tif 000003
【図２】
2012163353.tif 000004
【図３】
2012163353.tif 000005
【図４】
2012163353.tif 000006
【図５】
2012163353.tif 000007
【図６】
2012163353.tif 000008
【図７】
2012163353.tif 000009